(57)【要約】【課題】入力画像が高彩度及び高明度のいずれの場合でも、色再現性を高める。【解決手段】カラーの入力画像に白色の下地を付与した印刷を行う際に、入力画像及び白色の下地の多値の画素を生成し、入力画像の多値の画素の色が所定の色であるかを判定し、入力画像の各色材色の画素値と下地の白色の画素値との合計値が所定値以下となるように双方の画素値を減じて、印刷時の色材量を制限した後、面積階調方法を用いて色材色毎の２値の画素配列に変換し、上記所定の色の多値の画素を変換して得た２値の画素配列に基づいて、C、M、Yのいずれかのカラー成分がある画素位置及びカラー成分がない画素位置を特定し、白色の２値の画素配列に対して、いずれか一方の画素位置に配置されている少なくとも１つの白色の画素を、白色の画素が配置されていない他方の画素位置に再配置し、再配置した結果を出力する。【選択図】図６
2018042083.tif 000002
【特許請求の範囲】
【請求項１】
カラーの入力画像に白色の下地を付与して印刷を行う印刷装置を制御する制御装置であって、
前記入力画像及び前記下地の多値の画素を生成するＲＩＰ処理部と、
前記入力画像の前記多値の画素の色が所定の色であるかを判定する判定処理部と、
同じ印刷位置における、前記入力画像の各色材色の画素値と前記下地の白色の画素値との合計値が予め定めた所定値以下となるように双方の画素値を減じて、印刷時の色材量を制限する色材量制限処理部と、
面積階調方法を用いて、前記色材量制限後の前記多値の画素を、前記色材色毎の２値の画素配列に変換する面積階調処理部と、
前記所定の色の前記多値の画素を変換して得た２値の画素配列に基づいて、C(Cyan)、M(Magenta)、Y(Yellow)のいずれかのカラー成分がある画素位置及び前記カラー成分がない画素位置を特定し、前記下地の前記多値の画素を変換して得た白色の２値の画素配列に対して、いずれか一方の前記画素位置に配置されている少なくとも１つの白色の画素を、前記白色の画素が配置されていない他方の前記画素位置に再配置し、再配置した結果を出力する再配置処理部と、を備える、
ことを特徴とする制御装置。
【請求項２】
前記再配置処理部は、前記白色の２値の画素配列における前記白色の画素の総数に対する、前記カラー成分がある画素位置に配置する前記白色の画素の数を示す第１の割合、又は、前記カラー成分がない画素位置に配置する前記白色の画素の数を示す第２の割合を決定し、前記第１の割合又は前記第２の割合に従って、前記白色の画素を再配置する、
ことを特徴とする請求項１に記載の制御装置。
【請求項３】
前記判定処理部は、前記入力画像の前記多値の画素の画素値と前記カラー成分の内の２色の画素値が最大となる２次色の画素値との差分が予め定めた閾値以下の場合に、前記多値の画素の色が前記所定の色であると判定する、
ことを特徴とする請求項１又は２に記載の制御装置。
【請求項４】
前記再配置処理部は、前記多値の画素の色が前記２次色に近いほど、前記第１の割合を大きくする、
ことを特徴とする請求項３に記載の制御装置。
【請求項５】
前記判定処理部は、前記入力画像の前記多値の画素の画素値と白色の画素値との差分が予め定めた閾値以下の場合に、前記多値の画素の色が前記所定の色であると判定する、
ことを特徴とする請求項１又は２に記載の制御装置。
【請求項６】
前記再配置処理部は、前記多値の画素の色が前記白色に近いほど、前記第２の割合を大きくする、
ことを特徴とする請求項５に記載の制御装置。
【請求項７】
カラーの入力画像に白色の下地を付与して印刷を行う印刷装置と、当該印刷装置を制御する制御装置と、を含む印刷システムにおける画像処理方法であって、
前記制御装置は、
ＲＩＰ処理部に、前記入力画像及び前記下地の多値の画素を生成させるＲＩＰ処理と、
前記入力画像の前記多値の画素の色が所定の色であるかを判定する判定処理と、
同じ印刷位置における、前記入力画像の各色材色の画素値と前記下地の白色の画素値との合計値が予め定めた所定値以下となるように双方の画素値を減じて、印刷時の色材量を制限する色材量制限処理と、
面積階調方法を用いて、前記色材量制限後の前記多値の画素を、前記色材色毎の２値の画素配列に変換する面積階調処理と、
前記所定の色の前記多値の画素を変換して得た２値の画素配列に基づいて、C(Cyan)、M(Magenta)、Y(Yellow)のいずれかのカラー成分がある画素位置及び前記カラー成分がない画素位置を特定し、前記下地の前記多値の画素を変換して得た白色の２値の画素配列に対して、いずれか一方の前記画素位置に配置されている少なくとも１つの白色の画素を、前記白色の画素が配置されていない他方の前記画素位置に再配置し、再配置した結果を出力する再配置処理と、を実行し、
前記印刷装置は、
前記白画素が再配置された前記色材色毎の２値の画素に基づく印刷画像データを受信して、前記入力画像に前記下地を付与して印刷を行う、
ことを特徴とする画像処理方法。
【請求項８】
前記再配置処理では、前記白色の２値の画素配列における前記白色の画素の総数に対する、前記カラー成分がある画素位置に配置する前記白色の画素の数を示す第１の割合、又は、前記カラー成分がない画素位置に配置する前記白色の画素の数を示す第２の割合を決定し、前記第１の割合又は前記第２の割合に従って、前記白色の画素を再配置する、
ことを特徴とする請求項７に記載の画像処理方法。
【請求項９】
前記判定処理では、前記入力画像の前記多値の画素の画素値と前記カラー成分の内の２色の画素値が最大となる２次色の画素値との差分が予め定めた閾値以下の場合に、前記多値の画素の色が前記所定の色であると判定する、
ことを特徴とする請求項７又は８に記載の画像処理方法。
【請求項１０】
前記再配置処理では、前記多値の画素の色が前記２次色に近いほど、前記第１の割合を大きくする、
ことを特徴とする請求項９に記載の画像処理方法。
【請求項１１】
前記判定処理では、前記入力画像の前記多値の画素の画素値と白色の画素値との差分が予め定めた閾値以下の場合に、前記多値の画素の色が前記所定の色であると判定する、
ことを特徴とする請求項７又は８に記載の画像処理方法。
【請求項１２】
前記再配置処理では、前記多値の画素の色が前記白色に近いほど、前記第２の割合を大きくする、
ことを特徴とする請求項１１に記載の画像処理方法。
【請求項１３】
カラーの入力画像に白色の下地を付与して印刷を行う印刷装置を制御する制御装置で動作する画像処理プログラムであって、
前記制御装置は、
前記入力画像及び前記下地の多値の画素を生成するＲＩＰ処理部を備え、
前記制御装置に、
前記ＲＩＰ処理部から、前記多値の画素を取得する入力処理、
前記入力画像の前記多値の画素の色が所定の色であるかを判定する判定処理、
同じ印刷位置における、前記入力画像の各色材色の画素値と前記下地の白色の画素値との合計値が予め定めた所定値以下となるように双方の画素値を減じて、印刷時の色材量を制限する色材量制限処理、
面積階調方法を用いて、前記色材量制限後の前記多値の画素を、前記色材色毎の２値の画素配列に変換する面積階調処理、
前記所定の色の前記多値の画素を変換して得た２値の画素配列に基づいて、C(Cyan)、M(Magenta)、Y(Yellow)のいずれかのカラー成分がある画素位置及び前記カラー成分がない画素位置を特定し、前記下地の前記多値の画素を変換して得た白色の２値の画素配列に対して、いずれか一方の前記画素位置に配置されている少なくとも１つの白色の画素を、前記白色の画素が配置されていない他方の前記画素位置に再配置する再配置処理、
前記白画素が再配置された前記色材色毎の２値の画素に基づく印刷画像データを前記印刷装置に出力する出力処理、を実行させる、
ことを特徴とする画像処理プログラム。
【請求項１４】
前記再配置処理では、前記白色の２値の画素配列における前記白色の画素の総数に対する、前記カラー成分がある画素位置に配置する前記白色の画素の数を示す第１の割合、又は、前記カラー成分がない画素位置に配置する前記白色の画素の数を示す第２の割合を決定し、前記第１の割合又は前記第２の割合に従って、前記白色の画素を再配置する、
ことを特徴とする請求項１３に記載の画像処理プログラム。
【請求項１５】
前記判定処理では、前記入力画像の前記多値の画素の画素値と前記カラー成分の内の２色の画素値が最大となる２次色の画素値との差分が予め定めた閾値以下の場合に、前記多値の画素の色が前記所定の色であると判定する、
ことを特徴とする請求項１３又は１４に記載の画像処理プログラム。
【請求項１６】
前記再配置処理では、前記多値の画素の色が前記２次色に近いほど、前記第１の割合を大きくする、
ことを特徴とする請求項１５に記載の画像処理プログラム。
【請求項１７】
前記判定処理では、前記入力画像の前記多値の画素の画素値と白色の画素値との差分が予め定めた閾値以下の場合に、前記多値の画素の色が前記所定の色であると判定する、
ことを特徴とする請求項１３又は１４に記載の画像処理プログラム。
【請求項１８】
前記再配置処理では、前記多値の画素の色が前記白色に近いほど、前記第２の割合を大きくする、
ことを特徴とする請求項１７に記載の画像処理プログラム。
【発明の詳細な説明】
【技術分野】
【０００１】
本発明は、制御装置及び画像処理方法並びに画像処理プログラムに関し、特に、入力画像に白色の下地を付与した印刷を制御する制御装置及び白色の下地の付与を制御する画像処理方法並びに画像処理プログラムに関する。
【背景技術】
【０００２】
透明基材上や色付きの不透明基材上にC(Cyan)、M(Magenta)、Y(Yellow)、K(Key Plate)の着色成分からなる入力画像を印刷する場合、透明基材の外部や不透明基材の地色の影響を受けて入力画像の見た目の色が変化することから、W(White)の下地（以下、白下地と略記する。）を付与する方法が用いられる。一般的に、透明基材を用いる場合は、透明基材側から入力画像を観察するため、白下地は最上層に印刷され、不透明基材を用いる場合は、白下地は最下層に印刷される。
【０００３】
このように、透明基材又は不透明基材上に白下地と入力画像を印刷する場合、白下地と入力画像を別々に印刷すると印刷処理に時間がかかることから、白下地のW＋入力画像のCMYKの計５色を１回で印刷できる生産性の高いオンデマンドプリンタが望まれている。この印刷において、電子写真方式の場合、一度に転写、定着できる色材量（トナー量）には限度があり、色材量制限値（一般に各色の画素値［％］の合計として表される。）が定められるため、印刷システム内で、白下地と入力画像の画素値の合計が色材量制限値を超えないようにする色材量制限処理が行われる。
【０００４】
上記色材量制限処理に関して、例えば、下記特許文献１には、下地色色材とプロセスカラー色材とを用い、画素毎に前記色材の重ね合わせによる色材総量により色が決定されるカラー画像をシート上に形成する画像出力デバイスに適用される画像処理方法であって、入力される画素信号に対応して、画素毎に前記下地色色材と前記プロセスカラー色材の重ね合わせによる色材総量を求める過程と、求めた前記重ね合わせによる色材総量が、前記画像出力デバイスの画素毎の重ね合わせによる色材総量上限値を上回る値であった場合、色を変化させないで前記下地色色材又は前記プロセスカラー色材の前記重ね合わせ回数を減少させて、前記色材総量上限値を上回らない値とする、重ね合わせ回数調整過程と、を含む画像処理方法が開示されている。
【０００５】
また、下記特許文献２には、下地色色材とプロセスカラー色材とを用い、単位面積毎に前記色材を重ねた色材総量により色が決定されるカラー画像を基材上に形成する画像出力デバイスに適用される画像処理方法であって、前記画像出力デバイスに供給される単位面積毎の前記プロセスカラー色材に係るデバイス信号の色材量に前記下地色色材の一定値の色材量を加えて仮色材総量を求める過程と、求めた前記仮色材総量が、前記画像出力デバイスの色材総量上限値を上回らない値となるように前記仮色材総量を削減する色材総量調整過程と、を含む画像処理方法が開示されている。
【先行技術文献】
【特許文献】
【０００６】
【特許文献１】特開２００９−０２９０７９号公報
【特許文献２】特開２００３−０５５６００号公報
【発明の概要】
【発明が解決しようとする課題】
【０００７】
白下地を含めて入力画像を印刷する場合、入力画像の色再現性を確保するためには、色材量制限値がCMYKの色材量＋100%であることが理想である。しかしながら、通常の印刷装置の色材量制限値は400%以下であり、この色材量制限値を大きくするためには、印刷装置の転写能力や定着能力、色材自体を大幅に改良する必要があり、実現は困難である。そのため、各色の色材量を削減する必要があるが、入力画像又は白下地の一方の色材量のみを削減すると、色再現上は不利になる。そこで、例えば、色材量制限値が300%未満で、印刷で多用される２次色（R＝M100%＋Y100%、G＝C100%＋Y100%、B＝C100%＋M100%のようにCMYの内の２色の画素値が最大となる色、以下、２次色ベタと呼ぶ。）を印刷する場合は、入力画像のカラー成分（C、M、Y）の色材量と下地の白色の色材量の双方を削減することになる。
【０００８】
入力画像及び白下地の色材量の削減を面積階調化後の画素単位でみると、カラー成分と白色の双方に”塗る画素”と”塗らない画素”とが発生するが、一般的なスクリーニングでは”塗る画素”と”塗らない画素”は確率に従って配置されるため、カラー成分と白色の双方を塗る画素、カラー成分のみを塗る画素、白色のみを塗る画素、カラー成分も白色も塗らない画素が出現する。これらの様々な種類の画素について考察した結果、入力画像が高彩度（２次色ベタに近い色）の場合は、カラー成分を塗らずに白色だけを塗る画素は色再現上、不利に働く（彩度を高める上で無駄になる）が、入力画像が高明度（白色に近い色）の場合は、カラー成分を塗らず白色だけを塗る画素が色再現上、有利に働く（明度を高めるために必要になる）ことが分かった。
【０００９】
本発明は、上記問題点に鑑みてなされたものであって、その主たる目的は、入力画像に対して白色の下地を効率的に付与し、入力画像の色再現性を高めることができる制御装置及び画像処理方法並びに画像処理プログラムを提供することにある。
【課題を解決するための手段】
【００１０】
本発明の一側面は、カラーの入力画像に白色の下地を付与して印刷を行う印刷装置を制御する制御装置であって、前記入力画像及び前記下地の多値の画素を生成するＲＩＰ処理部と、前記入力画像の前記多値の画素の色が所定の色であるかを判定する判定処理部と、同じ印刷位置における、前記入力画像の各色材色の画素値と前記下地の白色の画素値との合計値が予め定めた所定値以下となるように双方の画素値を減じて、印刷時の色材量を制限する色材量制限処理部と、面積階調方法を用いて、前記色材量制限後の前記多値の画素を、前記色材色毎の２値の画素配列に変換する面積階調処理部と、前記所定の色の前記多値の画素を変換して得た２値の画素配列に基づいて、C、M、Yのいずれかのカラー成分がある画素位置及び前記カラー成分がない画素位置を特定し、前記下地の前記多値の画素を変換して得た白色の２値の画素配列に対して、いずれか一方の前記画素位置に配置されている少なくとも１つの白色の画素を、前記白色の画素が配置されていない他方の前記画素位置に再配置し、再配置した結果を出力する再配置処理部と、を備えることを特徴とする。
【００１１】
本発明の一側面は、カラーの入力画像に白色の下地を付与して印刷を行う印刷装置と、当該印刷装置を制御する制御装置と、を含む印刷システムにおける画像処理方法であって、前記制御装置は、ＲＩＰ処理部、前記入力画像及び前記下地の多値の画素を生成させるＲＩＰ処理と、前記入力画像の前記多値の画素の色が所定の色であるかを判定する判定処理と、同じ印刷位置における、前記入力画像の各色材色の画素値と前記下地の白色の画素値との合計値が予め定めた所定値以下となるように双方の画素値を減じて、印刷時の色材量を制限する色材量制限処理と、面積階調方法を用いて、前記色材量制限後の前記多値の画素を、前記色材色毎の２値の画素配列に変換する面積階調処理と、前記所定の色の前記多値の画素を変換して得た２値の画素配列に基づいて、C、M、Yのいずれかのカラー成分がある画素位置及び前記カラー成分がない画素位置を特定し、前記下地の前記多値の画素を変換して得た白色の２値の画素配列に対して、いずれか一方の前記画素位置に配置されている少なくとも１つの白色の画素を、前記白色の画素が配置されていない他方の前記画素位置に再配置し、再配置した結果を出力する再配置処理と、を実行し、前記印刷装置は、前記白画素が再配置された前記色材色毎の２値の画素に基づく印刷画像データを受信して、前記入力画像に前記下地を付与して印刷を行うことを特徴とする。
【００１２】
本発明の一側面は、カラーの入力画像に白色の下地を付与して印刷を行う印刷装置を制御する制御装置で動作する画像処理プログラムであって、前記制御装置は、前記入力画像及び前記下地の多値の画素を生成するＲＩＰ処理部を備え、前記制御装置に、前記ＲＩＰ処理部から、前記多値の画素を取得する入力処理、前記入力画像の前記多値の画素の色が所定の色であるかを判定する判定処理、同じ印刷位置における、前記入力画像の各色材色の画素値と前記下地の白色の画素値との合計値が予め定めた所定値以下となるように双方の画素値を減じて、印刷時の色材量を制限する色材量制限処理、面積階調方法を用いて、前記色材量制限後の前記多値の画素を、前記色材色毎の２値の画素配列に変換する面積階調処理、前記所定の色の前記多値の画素を変換して得た２値の画素配列に基づいて、C、M、Yのいずれかのカラー成分がある画素位置及び前記カラー成分がない画素位置を特定し、前記下地の前記多値の画素を変換して得た白色の２値の画素配列に対して、いずれか一方の前記画素位置に配置されている少なくとも１つの白色の画素を、前記白色の画素が配置されていない他方の前記画素位置に再配置する再配置処理、
前記白画素が再配置された前記色材色毎の２値の画素に基づく印刷画像データを前記印刷装置に出力する出力処理、を実行させることを特徴とする。
【発明の効果】
【００１３】
本発明の制御装置及び画像処理方法並びに画像処理プログラムによれば、入力画像に対して白色の下地を効率的に付与し、入力画像の色再現性を高めることができる。
【００１４】
その理由は、カラーの入力画像に白色の下地を付与した印刷を行う際に、入力画像及び下地の多値の画素を生成し、入力画像の多値の画素の色が所定の色（２次色ベタに近い高彩度色又は白色に近い高明度色）であるかを判定し、同じ印刷位置における、入力画像の各色材色の画素値と下地の白色の画素値との合計値が予め定めた所定値以下となるように双方の画素値を減じて、印刷時の色材量を制限した後、面積階調方法を用いて、色材量制限後の多値の画素を、色材色毎の２値の画素配列に変換し、所定の色の多値の画素を変換して得た２値の画素配列に基づいて、C、M、Yのいずれかのカラー成分がある画素位置及びカラー成分がない画素位置を特定し、下地の多値の画素を変換して得た白色の２値の画素配列に対して、いずれか一方の画素位置に配置されている少なくとも１つの白色の画素を、白色の画素が配置されていない他方の画素位置に再配置し、再配置した結果を出力するからである。
【図面の簡単な説明】
【００１５】
【図１】不透明基材にCMYK４色を印刷する場合の最大画素値を示す模式図である。
【図２】透明基材にWCMYK５色を印刷する場合の最大画素値を示す模式図である。
【図３】透明基材にW+２次色ベタを印刷する場合の最大画素値を示す模式図である。
【図４】従来の面積階調処理を示す模式図である。
【図５】白下地の効果を説明する模式図である。
【図６】本発明の一実施の形態に係る面積階調化後の白画素の再配置処理を示す模式図である。
【図７】入力画像の画素の色が白色に近いか、２次色ベタに近いかを判断する手法を説明する模式図である。
【図８】入力画像の画素の色が白色に近いか、２次色ベタに近いかを距離に応じて段階的に決定する例を示す模式図である。
【図９】本発明の一実施例に係る印刷システムの構成の一例を示す模式図である。
【図１０】本発明の一実施例に係る印刷システムの構成の他の例を示す模式図である。
【図１１】本発明の一実施例に係るクライアント端末の構成を示すブロック図である。
【図１２】本発明の一実施例に係るコントローラの構成を示すブロック図である。
【図１３】本発明の一実施例に係るプリンタの構成を示すブロック図である。
【図１４】本発明の一実施例に係るコントローラの処理を示すフローチャート図である。
【図１５】本発明の一実施例に係るコントローラの処理（白画素の再配置処理）を示すフローチャート図である。
【発明を実施するための形態】
【００１６】
背景技術で示したように、白下地のW＋入力画像のCMYKの計５色を１回で印刷する場合、電子写真方式では、一度に転写、定着できる色材量（トナー量）には限度があり、色材量制限値が定められるため、印刷システム内のＲＩＰ（Raster Image Processor）、プロファイル作成部、印刷エンジン等で、入力画像と白下地の画素値の合計が色材量制限値を超えないようにする色材量制限処理が行われる。
【００１７】
この色材量制限処理に関して、印刷装置の転写能力や定着能力との兼ね合いで色材量制限値が決まる。例えば、紙などの不透明基材上にCMYKの色材（トナー）を用いて入力画像を印刷する場合、図１（ａ）に示すように、入力データ上の最大画素値は400%であるが、図１（ｂ）に示すように、色材量制限後の入力データ上の最大画素値は400%未満となり、各色のトナーが削減される。この場合、トナーの削減量はCMYの各色で同じであってもよいし、異なっていてもよく、また、CMYをKに置き換えてもよい。また、「100%」の具体的な量（重量等）は各色で異なっていてもよい。
【００１８】
ここで、図２（ａ）に示すように、プラスティックフィルムなどの透明基材上にCMYKの入力画像に加えてWの下地を印刷する場合（透明基材の場合は通常、Wは最上層）、入力データ上の最大画素値は500%であるが、印刷装置の転写能力や定着能力、トナーを改良しなければ色材量制限値は変わらないため、図２（ｂ）に示すように、入力データ上の最大画素値は400%未満となり、Wが加わる分、CMYKに分配されるトナー量は更に減る。また、不透明基材上にCMYKの入力画像に加えてWの下地を印刷する場合も（不透明基材の場合は、Wは最下層）、同様に、入力データ上の最大画素値は400%未満となり、Wが加わる分、CMYKに分配されるトナー量は更に減る。
【００１９】
また、R(C,M,Y,K=0,100,100,0)、G(C,M,Y,K=100,0,100,0)、B(C,M,Y,K=100,100,0,0)などの２次色ベタの場合、図３（ａ）に示すように、入力データ上の最大画素値は300%であるが、色材量制限値が300%を大きく下回る場合、２次色ベタの色再現に課題が生じる。例えば、色材量制限値が250%未満の場合、Wの画素値を100%に維持しようとすると２次色ベタのカラー成分の画素値は75%未満の掛け合わせになり、また、２次色ベタのカラー成分の画素値を100%に維持しようとするとWの画素値は50%未満になる。これらのどちらも色再現上はかなり不利であるため、実用上の観点から、図３（ｂ）に示すように、カラー成分とWの双方のトナー量を減らす必要があり、例えば、色材量制限値が240%のときはM=Y=W=80%のようにトナー量を制限する。
【００２０】
入力画像及び白下地の色材量の削減を面積階調化後の画素単位でみると、カラー成分と白色の双方に”塗る画素”と”塗らない画素”とが発生する。図４は、Rベタ+Wに関して、M,Y,Wのトナー量を75%に削減して面積階調処理を行った場合の例であり、M版における右上がりの斜線のハッチングを施した画素はMを塗る画素、Y版における右下がりの斜線のハッチングを施した画素はYを塗る画素、白塗りの画素はWを塗る画素、黒塗りの画素はM,Y,Wのいずれも塗らない画素である。仕上がりイメージはこれらを足し合わせた画素であり、色の組み合わせに応じてハッチングの種類を代えて表現している。この仕上がりイメージの内、３行４列目の画素はカラー成分を塗らずに白色のみを塗る画素であり、２行４列目、３行１列目、４行３列目の各画素は白色を塗らずにカラー成分のみを塗る画素である。
【００２１】
ここで、一般的なスクリーニングでは”塗る画素”と”塗らない画素”は確率に従って配置されるため、カラー成分と白色の双方を塗る画素、カラー成分のみを塗る画素、白色のみを塗る画素、カラー成分も白色も塗らない画素が出現する。上記の各種画素に関して、図５（ａ）に示すように、白下地がある画素（又は白下地のみの画素）では、透明基板側から入射した光は白下地で反射されるため、相対的に高明度・高彩度になるが、図５（ｂ）に示すように、白下地のない画素では、透明基板側から入射した光の一部はカラー成分を透過してしまうため、相対的に低明度・低彩度になってしまう。
【００２２】
このように、明度や彩度の観点からは白下地は重要であるが、白下地は全画素に配置することができないため、どの位置に配置するのが好ましいかを検討した結果、入力画像が高彩度（２次色ベタに近い色）の場合は、カラー成分を塗らずに白色だけを塗る画素は色再現上、不利に働く（彩度を高める上で無駄になる）が、入力画像が高明度（白色に近い色）の場合は、カラー成分を塗らず白色だけを塗る画素が色再現上、有利に働く（明度を高めるために必要になる）ことが分かった。
【００２３】
すなわち、カラー成分を塗る画素の構成が同じであっても白色を塗る画素と重なっているかどうかで発色が変わることから、入力画像が２次色ベタに近い高彩度色であるか、CMY値が小さい白色に近い高明度色であるか否かに応じて、カラー成分を塗る画素に白色を塗る画素を重ねるか否かを決定することにより、色再現を高めることができることを見出した。
【００２４】
そこで、本発明の一実施の形態では、色材量制限値が250%未満のような厳しい条件下で、透明基材上又は不透明基材上にカラー入力画像と白下地とを１回で印刷するために、カラー画像と白下地の双方のトナー量を減らす場合において、カラー成分がある画素位置に配置されている少なくとも１つの白画素を、白画素が配置されていないカラー成分がない画素位置に再配置、又は、カラー成分がない画素位置に配置されている少なくとも１つの白画素を、白画素が配置されていないカラー成分がある画素位置に再配置する。具体的には、入力画像の画素の色が２次色ベタに近い高彩度色の場合は、カラー成分がある画素位置に配置する白画素の割合を大きくする（カラー成分がある画素位置に優先的に白画素を配置する）ことで発色を向上させる。また、入力画像の画素の色が白色に近い高明度色の場合は、カラー成分がない画素位置に配置する白画素の割合を大きくする（カラー成分が無い画素位置に優先的に白画素を配置する）ことで明度を向上させる。
【００２５】
図６は、RベタにWの下地を付与する場合の本実施形態の画像処理方法を説明する模式図であり、図４と同様に、M,Y,Wのトナー量を75%に削減して面積階調処理を行った場合を示している。M版における右上がりの斜線のハッチングを施した画素はMを塗る画素、Y版における右下がりの斜線のハッチングを施した画素はYを塗る画素であり、カラー合成はこれらを足し合わせた画素を示している。カラー合成における黒塗りの画素は、M,Y共に塗らない非カラー画素であり、入力画像の画素の色が２次色ベタに近い高彩度色の場合は、第１のW版に示すように、破線で囲んだ非カラー画素には白画素を極力配置しない（言い換えるとカラー画素に優先的に白画素を配置する）ようにし、最終的にWのみの画素の数を少なくすることにより、発色を向上させる。この例の場合は、図４の仕上がりイメージと比較してWのみの画素は１個から０個に減少する。一方、入力画像の画素の色が白に近い高明度色の場合は、第２のW版に示すように、破線で囲んだ非カラー画素に優先的に白画素を配置する（言い換えるとカラー画素には白画素を極力配置しない）ようにし、最終的にWのみの画素の数を増やすことにより、明度を向上させる。この例の場合は、図４の仕上がりイメージと比較してWのみの画素は１個から２個に増加する。
【００２６】
このように、入力画像の彩度、明度を考慮して、入力画像の画素の色が高彩度色の場合はより彩度を有利にするように白下地を付与し、入力画像の画素の色が高明度色の場合はより明度を有利にするように白下地を付与することにより、色域減少をより低減し、良好な色再現を実現することができる。
【００２７】
ここで、白画素の配置に関して、「優先的」としているのは、面積階調処理の結果、全ての白画素をカラー画素又は非カラー画素のどちらかに完全に振り分けられない場合があり、特に、白色に近い場合は、完全に振り分けるのではなく限度を設けた方が好ましい色再現となる場合があるからである。
【００２８】
また、入力画像の画素の色が「２次色ベタに近い」又は「白色に近い」色であるか否かは、図７に示すように、画素値を座標とする空間を仮定し、白頂点（C,M,Y,K=0,0,0,0）、２次色ベタ（R,G,B）頂点からの距離によって判定することができる。この判定に際して、近いか近くないかの２分割でなく、図８に示すように、白頂点又は２次色ベタ頂点からの距離に応じて段階を持たせて判定し、白画素の付与の優先度を設定してもよい。例えば、画素値を%で表記し、画素値の各要素の差の二乗を加算した値の平方根を距離とした場合、判定閾値が２次色ベタ頂点から距離10〜30の範囲、好ましくは第１の閾値（優先度最大の境界）が距離0〜10の範囲、第２の閾値（優先無しの境界）が距離15〜35の範囲などの三段階に分割しても良い。また、判定閾値が白頂点から距離20〜40の範囲、好ましくは第１の閾値（優先度最大の境界）が距離15〜25の範囲、第２の閾値（優先無しの境界）が距離35〜45の範囲などの三段階に分割しても良い。
【００２９】
また、入力画像の画素の色が白色に近い高明度色であるか否かに関しては、色材毎の明度差を考慮してもよい。例えば、一般的に特に明度の高い色材であるY成分は、より大きい距離（例えば、1.5〜2倍相当の距離）まで「白色に近い」範囲に含まれるように重み付けすることもできる。
【００３０】
また、優先度に関して、面積階調化後の各画素を、カラー成分（CMY）が３色／２色／１色／無の４種に分類し、入力画像の画素の色が高彩度、特に２次色ベタに近いほど、面積階調化後のカラー成分が２色＞１色＞３色＞無の画素の順に、優先的に白画素を配置するようにしてもよい。
【実施例】
【００３１】
上記した本発明の実施の形態についてさらに詳細に説明すべく、本発明の一実施例に係る制御装置及び画像処理方法並びに画像処理プログラムについて、図９乃至図１５を参照して説明する。図９及び図１０は、本実施例の印刷システムの構成を示す模式図であり、図１１乃至図１３は、各々、クライアント端末、コントローラ、プリンタの構成を示すブロック図である。また、図１４及び図１５は、本実施例のコントローラの処理を示すフローチャート図である。
【００３２】
なお、以下の説明において、着色成分とは、例えばCMYKであり、白色を含まない。また、カラー成分とは、例えばCMYであり、相対的に光を透過しない白色（W）や、相対的に光を透過・反射しない黒色（K）は含まない。これらの着色成分やカラー成分の画素値は、%や８bit等の多値である。この%は、例えば、８bitの入力データの画素値0-255に対応し、0%は画素値0に対応し、50%は画素値127に対応し、100%は画素値255に対応する。
【００３３】
図９に示すように、本実施例の印刷システムは、イントラネット上に、通信ネットワーク４０で接続可能なクライアント端末１０とコントローラ２０とプリンタ３０とがそれぞれ配置される。この通信ネットワーク４０の規格としてEthernet（登録商標）などを用いることができるが、コントローラ２０からプリンタ３０へのデータ転送は、Ethernet（登録商標）以外にIEEE1394、Parallelなどを用いることも可能である。
【００３４】
なお、図９では、コントローラ２０とプリンタ３０とを別々の装置としているが、図１０に示すように、プリンタ３０がコントローラ２０を内包する構成としてもよい。以下、図１の構成を前提にして、各装置について詳細に説明する。
【００３５】
［クライアント端末］
クライアント端末１０は、パーソナルコンピュータなどのコンピュータ装置であり、印刷ジョブを作成してコントローラ２０に送信する。このクライアント端末１０は、図１１（ａ）に示すように、制御部１１と記憶部１２とネットワークＩ／Ｆ部１３と表示部１４と操作部１５などで構成される。
【００３６】
制御部１１は、ＣＰＵ（Central Processing Unit）１１ａとＲＯＭ（Read Only Memory）１１ｂやＲＡＭ（Random Access Memory）１１ｃなどのメモリとで構成され、ＣＰＵ１１ａは、ＲＯＭ１１ｂや記憶部１２に記憶した制御プログラムをＲＡＭ１１ｃに展開して実行することにより、クライアント端末１０全体の動作を制御する。また、図１１（ｂ）に示すように、上記制御部１１（ＣＰＵ１１ａ）により、ＯＳ（Operating System）１６、文書作成アプリケーション１７、プリンタドライバ１８などが実行される。
【００３７】
ＯＳ１６は、Windows（登録商標）やMac OS（登録商標）、Androidなどであり、クライアント端末１０で文書作成アプリケーション１７やプリンタドライバ１８を動作可能にする。
【００３８】
文書作成アプリケーション１７は、文章作成や表計算、画像加工などを行うソフトウェアであり、着色成分からなる入力画像（好ましくはカラーの入力画像）の作成、白下地を付与すべき位置の指定などを可能にする。そして、印刷指示の際にプリンタドライバ１８を読み出し、文書作成アプリケーション１７で作成したデータをプリンタドライバ１８に転送する。
【００３９】
プリンタドライバ１８は、文書作成アプリケーション１７で作成したデータを、コントローラ２０が解釈可能な言語の印刷ジョブ（ＰＪＬ（Printer Job Language）やＰＳ（PostScript）、ＰＣＬ（Printer Control Language）等のページ記述言語で記述されたＰＤＬ（Page Description Language）データ、または、ＰＤＦ（Portable Document Format）データ）に変換する。この印刷ジョブには、入力画像及び白下地を付与すべき位置の情報が含まれる。
【００４０】
記憶部１２は、ＨＤＤ（Hard Disk Drive）やＳＳＤ（Solid State Drive）などで構成され、ＣＰＵ１１ａが各部を制御するためのプログラム、自装置の処理機能に関する情報、文書作成アプリケーション１７が作成したデータ、プリンタドライバ１８が作成した印刷ジョブなどを記憶する。
【００４１】
ネットワークＩ／Ｆ部１３は、ＮＩＣ（Network Interface Card）やモデムなどで構成され、クライアント端末１０を通信ネットワーク４０に接続し、コントローラ２０に印刷ジョブを送信する。
【００４２】
表示部１４は、液晶表示装置（ＬＣＤ：Liquid Crystal Display）や有機ＥＬ（electroluminescence）表示装置などで構成され、文書作成アプリケーション１７やプリンタドライバ１８の画面などを表示する。
【００４３】
操作部１５は、マウスやキーボードなどで構成され、文書作成アプリケーション１７による入力画像の作成、白下地を付与すべき位置の指定、プリンタドライバ１８による印刷指示などの操作を可能にする。
【００４４】
［コントローラ］
コントローラ２０は、プリンタ３０を制御する制御装置である。このコントローラ２０は、図１２（ａ）に示すように、制御部２１と記憶部２２とＲＩＰ（Raster Image Processor）処理部２３とネットワークＩ／Ｆ部２４とプリンタＩ／Ｆ部２５と必要に応じて表示部及び操作部などで構成される。
【００４５】
制御部２１は、ＣＰＵ２１ａと、ＲＯＭ２１ｂやＲＡＭ２１ｃなどのメモリとで構成され、ＣＰＵ２１ａは、ＲＯＭ２１ｂや記憶部２２に記憶した制御プログラムをＲＡＭ２１ｃに展開して実行することにより、コントローラ２０全体の動作を制御する。
【００４６】
記憶部２２は、ＨＤＤやＳＳＤなどで構成され、ＣＰＵ２１ａが各部を制御するためのプログラム、クライアント端末１０から受信した印刷ジョブ、印刷ジョブに基づいて生成した印刷画像データ、プリンタ３０の補正ＬＵＴ、色変換に用いるＩＣＣプロファイルなどを記憶する。
【００４７】
ＲＩＰ処理部２３は、画像処理ＡＳＩＣ（Application Specific Integrated Circuit）などで構成され、クライアント端末１０から受信した印刷ジョブを解析し、入力画像及び白下地を付与すべき位置の情報を受け付け、入力画像及び白下地を多値ビットマップ化して多値の画素を生成する。そして、出力物を所望の色に合わせるための色変換処理（例えばＩＣＣプロファイルを用いた色変換処理）を行って、制御部２１に出力する。
【００４８】
ネットワークＩ／Ｆ部２４は、ＮＩＣやモデムなどで構成され、コントローラ２０を通信ネットワーク４０に接続し、クライアント端末１０から印刷ジョブなどを受信する。プリンタＩ／Ｆ部２５は、コントローラ２０をプリンタ３０に接続するための専用インターフェイスであり、プリンタ３０に印刷画像データなどを送信し、出力方法を指示する。
【００４９】
また、上記制御部２１は、図１２（ｂ）に示すように、判定処理部２６、色材量制限処理部２７、面積階調処理部２８、再配置処理部２９などとして機能し、ＲＩＰ処理部２３から多値の画素を取得し、再配置処理部２９が白画素を再配置した色材色毎の２値の画素に基づく印刷画像データをプリンタ３０に出力する。
【００５０】
判定処理部２６は、ＲＩＰ処理部２３が多値ビットマップ化して生成した、入力画像の多値の画素の色が所定の色であるかを判定する。具体的には、多値の画素の色が２次色ベタに近い高彩度色であるか、白色に近い高明度色であるかを判定し、多値の画素の色が２次色ベタ又は白色に近い場合に、当該多値の画素の色が白下地を付与する方法を変更する対象となる所定の色であると判定する。なお、多値の画素の色が２次色ベタ又は白色に近いかは、画素値を座標とする空間を仮定し、２次色ベタ（R,G,B）頂点又は白頂点（C,M,Y,K=0,0,0,0）からの距離（多値の画素の画素値と２次色ベタの画素値又は白色の画素値との差分）が予め定めた閾値以下であるかによって判定することができる。この判定に際して、白頂点又は２次色ベタ頂点からの距離（多値の画素の画素値と２次色ベタの画素値又は白色の画素値との差分）に応じて段階を持たせて判定し、白画素の付与の優先度を設定してもよい。
【００５１】
色材量制限処理部２７は、同じ印刷位置における、入力画像の各色材色（トナー色）の画素値及び白下地の画素値の合計値が所定値以下となるように双方の画素値を減じて、印刷時の色材量（トナー量）を制限する。その際、色材量制限後のカラー成分の画素値及び白色の画素値が、各々、0%を超え100%未満となるように制限する。上記所定値が、250%未満（例えば、240%）の場合、本発明の効果が特に大きく、300%未満（例えば、280%）の場合、２次色ベタ+Wベタが成立しなくなる値であることから、本発明の効果が大きい。なお、400%未満（例えば、350%）の場合は、一般的なCMYK４色の印刷で、CMYをKに置き換える処理をしない時の、３次色ベタ＋Wベタが成立しなくなる値であることから、条件によっては本発明の効果があると言える。
【００５２】
面積階調処理部２８は、公知の面積階調方法を用いて、色材量制限後の入力画像及び白下地の多値の画素を、色材（トナー）の色毎の２値の画素配列に変換する。面積階調化後の各色の画素値は１bit（ON/OFF）となる。
【００５３】
再配置処理部２９は、所定の色の多値の画素を抽出し、当該多値の画素を変換して得た２値の画素配列に基づいて、CMYのいずれかのカラー成分がある画素位置及びいずれのカラー成分もない画素位置を特定し、白下地の多値の画素を変換して得た白色の２値の画素配列に対して、いずれか一方の画素位置に配置されている少なくとも１つの白画素を、白画素が配置されていない他方の画素位置に再配置し、再配置した結果を出力する。具体的には、白色の２値の画素配列における白画素の総数に対する、カラー成分がある画素位置に配置する白画素の数を示す第１の割合、又は、カラー成分がない画素位置に配置する白画素の数を示す第２の割合を決定し、決定した第１の割合又は第２の割合に従って白画素を再配置する。その際、多値の画素の色が高彩度、特に２次色ベタに近いほど、第１の割合を大きくする（カラー成分「有」の画素位置に優先的に白画素を配置する）。また、多値の画素の色が高明度、特に白色に近いほど、第２の割合を大きくする（カラー成分「無」の画素位置に優先的に白画素を配置する）。また、上記対象に該当しない場合（所定の色でない多値の画素）は何もしない、すなわち、白画素の配置は確率通りとする。
【００５４】
なお、上記判定処理部２６、色材量制限処理部２７、面積階調処理部２８、再配置処理部２９はハードウェアとして構成してもよいし、制御部２１を判定処理部２６、色材量制限処理部２７、面積階調処理部２８、再配置処理部２９として機能させる画像処理プログラムとして構成し、当該画像処理プログラムをＣＰＵ２１ａに実行させるようにしてもよい。
【００５５】
［プリンタ］
プリンタ３０は、電子写真プリンタなどの印刷装置であり、コントローラ２０の指示に基づいて印刷を行う。このプリンタ３０は、図１３に示すように、制御部３１とコントローラＩ／Ｆ部３２とパネル操作部３３と印刷処理部３４などで構成される。
【００５６】
制御部３１は、ＣＰＵ３１ａと、ＲＯＭ３１ｂやＲＡＭ３１ｃなどのメモリとで構成され、ＣＰＵ３１ａは、ＲＯＭ３１ｂに記憶した制御プログラムをＲＡＭ３１ｃに展開して実行することにより、プリンタ３０全体の動作を制御する。
【００５７】
コントローラＩ／Ｆ部３２は、プリンタ３０をコントローラ２０に接続するための専用インターフェイスであり、コントローラ２０から印刷画像データなどを受信する。
【００５８】
パネル操作部３３は、ＬＣＤなどの表示部上に格子状の透明電極からなるタッチセンサが形成されたタッチパネルなどであり、印刷に関する各種画面を表示すると共に、印刷に関する各種操作を可能にする。
【００５９】
印刷処理部３４は、コントローラ２０から受信した印刷画像データに基づき、用紙上に画像形成を行う印刷エンジンである。具体的には、帯電装置により帯電された感光体ドラムに露光装置から画像に応じた光を照射して静電潜像を形成し、現像装置で帯電した各色のトナーを付着させて現像し、そのトナー像を転写ベルトに１次転写し、転写ベルトから用紙に２次転写し、更に定着装置で用紙上のトナー像を定着させる処理を行う。この印刷処理部３４は、画像形成を安定化させるために別途任意の補正を行ってもよい。
【００６０】
なお、図９乃至図１３は、本実施例の印刷システムの一例であり、各装置の構成や制御は適宜変更可能である。
【００６１】
例えば、図１２では、制御部２１に判定処理部２６、色材量制限処理部２７、面積階調処理部２８、再配置処理部２９の機能を持たせたが、ＲＩＰ処理部２３に判定処理部２６、色材量制限処理部２７、面積階調処理部２８、再配置処理部２９の機能を持たせるようにしても良い。
【００６２】
以下、上記構成のコントローラ２０の動作について説明する。ＣＰＵ２１ａは、ＲＯＭ２１ｂ又は記憶部２２に記憶した画像処理プログラムをＲＡＭ２１ｃに展開して実行することにより、図１４及び図１５のフローチャート図に示す各ステップの処理を実行する。  
【００６３】
まず、コントローラ２０のＲＩＰ処理部２３は、入力画像、及び、白下地を付与すべき位置の情報を受け付ける（Ｓ１００）。なお、入力画像は、着色成分（例えば、CMYK）からなる画像（好ましくはカラーの入力画像）である。また、白下地を付与すべき位置の情報の形式は任意であり、例えば、一般的なＤＴＰ（Desktop publishing）アプリケーションの特色版としてもよいし、専用のフォーマットとしてもよい。
【００６４】
次に、ＲＩＰ処理部２３は、入力画像及び白下地を多値ビットマップ化して多値の画素を生成する（Ｓ１１０）。その際、所望の出力色を得るためＩＣＣプロファイルによる色変換やその他の補正を行ってもよい。
【００６５】
次に、制御部２１（判定処理部２６）は、入力画像の多値の画素の色が所定の色（白下地を付与する方法を変更する対象となる色）であるかを判定する（Ｓ１２０）。具体的には、多値の画素の色が２次色ベタに近い高彩度色、白色に近い高明度色に該当するかを判定する。そして、判定後、各画素に例えば「２次色ベタに近い」、「白色に近い」、「それ以外」を表す情報を付与しておく。なお、判定を細分化する場合、例えば「２次色ベタに近い（100%）」、「２次色ベタに近い（80%）」等の情報を付与しても良い。
【００６６】
次に、制御部２１（色材量制限処理部２７）は、色材量制限処理を実施する（Ｓ１３０）。具体的には、同じ印刷位置における、入力画像の各色材色の画素値と白下地の画素値との合計値が所定値以下となるように双方の画素値を減じて、印刷時の色材量を制限する。この色材量制限処理は、任意の公知の方法を適用することができるが、色域と階調性維持の双方のバランスが良い方法を適用することが好ましい。
【００６７】
次に、制御部２１（面積階調処理部２８）は、面積階調方法を用いて、色材量制限後の多値の画素を、色材の色毎の２値の画素配列に変換する面積階調化（２値化）処理及びカラー成分判定を行う（Ｓ１４０）。上記２値化（スクリーニング、網点化）は任意の公知の方法を適用することができる。また、２値化後に各画素のカラー成分を判定し、各画素に例えばカラー成分の「有」、「無」を表す情報を付与する。
【００６８】
次に、制御部２１（再配置処理部２９）は、上記Ｓ１２０で所定の色（白画素の付与方法を変更する対象となる色）と判定された多値の画素を変換して得た２値の画素配列に基づいて、いずれかのカラー成分が「有」の画素位置及びいずれのカラー成分も「無」の画素位置を特定し、白画素の総数に対するカラー成分が「有」の画素位置に配置する白画素の数を示す第１の割合、又は、カラー成分が「無」の画素位置に配置する白画素の数を示す第２の割合を決定する（Ｓ１５０）。具体的には、まず、Ｓ１２０で所定の色と判定された多値の画素それぞれについて、Ｓ１３０の色材量制限処理後のカラー成分「有」の画素比率、及び、白「有」の画素比率を得る。次に、上記画素比率において可能な範囲で、白画素付与の優先度（例えば、カラー成分「有」の画素位置の何%に白画素を付与するか）を決定する。なお、色材量制限処理の方法が決まっていれば、予め作成したＬＵＴを参照して、白画素の割合を算出することも可能である。
【００６９】
次に、制御部２１（再配置処理部２９）は、白画素を再配置する（Ｓ１６０）。図１５はこのステップの詳細を示しており、まず、Ｓ１２０の所定の色を１つ選択する（Ｓ１６１）。次に、ページ単位、オブジェクト単位等の任意の単位で、選択した色の画素（多値の画素）を抽出する（Ｓ１６２）。次に、抽出した多値の画素を変換して得た色材色毎の２値の画素配列に対して、カラー成分有りの画素位置に配置されている白画素、及びカラー成分無しの画素位置に配置されている白画素の数をカウントし（Ｓ１６３）、Ｓ１５０で決定した割合に対する過不足を算出する（Ｓ１６４）。例えば、カラー成分「無」の画素位置に配置されている白画素のうち20%が過剰であり、カラー成分「有」で白画素が配置されていない画素位置に入れ替えるべきなどを判断する。次に、白画素の入れ替え対象（再配置を行う位置）を決定する（Ｓ１６５）。その際、入れ替えた白画素がページやオブジェクト単位で偏らず平均化するようにすることが好ましい。そして、白画素の入れ替え（再配置処理）を実施し（Ｓ１６６）、全画素（抽出した全ての多値の画素）の入れ替えが終了したかを判断する（Ｓ１６７）。全画素の入れ替えが終了していなければＳ１６６に戻って入れ替えを実施し、全画素の入れ替えが終了したら、全色（Ｓ１２０の全ての所定の色）に対する入れ替えが終了したかを判断する（Ｓ１６８）。全色に対する入れ替えが終了していなければＳ１６１に戻って同様の処理を繰り返し、全色に対する入れ替えが終了したら、再配置の結果を制御部２１に出力して処理を終了する。
【００７０】
図１４に戻って、制御部２１は、白画素を再配置した色材色毎の２値の画素から生成した入力画像＋白下地の２値ビットマップデータ（印刷画像データ）をプリンタ３０に送信する（Ｓ１７０）。なお、送信する印刷画像データのフォーマットは任意であり、他に必要な情報を付与して送信してもよい。
【００７１】
このように、入力画像が２次色ベタに近い高彩度色の場合は、カラー成分「有」の画素位置に優先的に白画素を配置する（カラー成分「無」の画素位置には白画素を極力配置しない）ことで発色を向上させ、入力画像が白色に近い高明度色の場合は、カラー成分「無」の画素位置に優先的に白画素を配置する（カラー成分「有」の画素位置には白画素を極力配置しない）ことで明度を向上させることにより、色域減少をより低減し、良好な色再現を実現することができる。
【００７２】
なお、本発明は、上記実施例の記載に限定されるものではなく、本発明の趣旨を逸脱しない限りにおいて、その構成や制御は適宜変更可能である。
【００７３】
例えば、上記実施例では、プリンタ３０として電子写真プリンタを例示したが、UV（ultraviolet）硬化型インクなどを用いるインクジェットプリンタに対しても、本発明の画像処理方法を同様に適用することができる。
【産業上の利用可能性】
【００７４】
本発明は、入力画像に白色の下地を付与した印刷を制御する制御装置及び白色の下地を付与する方法を制御する画像処理方法並びに画像処理プログラム並びに当該画像処理プログラムを記録した記録媒体に利用可能である。
【符号の説明】
【００７５】
１０  クライアント端末
１１  制御部
１１ａ  ＣＰＵ
１１ｂ  ＲＯＭ
１１ｃ  ＲＡＭ
１２  記憶部
１３  ネットワークＩ／Ｆ部
１４  表示部
１５  操作部
１６  ＯＳ
１７  文書作成アプリケーション
１８  プリンタドライバ
２０  コントローラ
２１  制御部
２１ａ  ＣＰＵ
２１ｂ  ＲＯＭ
２１ｃ  ＲＡＭ
２２  記憶部
２３  ＲＩＰ処理部
２４  ネットワークＩ／Ｆ部
２５  プリンタＩ／Ｆ部
２６  判定処理部
２７  色材量制限処理部
２８  面積階調処理部
２９  再配置処理部
３０  プリンタ
３１  制御部
３１ａ  ＣＰＵ
３１ｂ  ＲＯＭ
３１ｃ  ＲＡＭ
３２  コントローラＩ／Ｆ部
３３  パネル操作部
３４  印刷処理部
４０  通信ネットワーク
【図１】
2018042083.tif 000003
【図２】
2018042083.tif 000004
【図３】
2018042083.tif 000005
【図４】
2018042083.tif 000006
【図５】
2018042083.tif 000007
【図６】
2018042083.tif 000008
【図７】
2018042083.tif 000009
【図８】
2018042083.tif 000010
【図９】
2018042083.tif 000011
【図１０】
2018042083.tif 000012
【図１１】
2018042083.tif 000013
【図１２】
2018042083.tif 000014
【図１３】
2018042083.tif 000015
【図１４】
2018042083.tif 000016
【図１５】
2018042083.tif 000017